(57)【特許請求の範囲】
【請求項１】
通常動作モード及び割込動作モードを含む動作モードを切換入力するモード切換手段と、
動作中の割込動作モードを検出する割込検出手段と、
前記割込動作モードの切換選択に係わる割込順位の高いモードから順に低いモードに向けて設定された割込優先順位を記憶する優先順位メモリ領域を有すると共に、前記切換手段の切換入力に伴って切換選択される前記通常動作モードの切換順序を記憶する切換順序メモリ領域を有する記憶手段と、
前記割込検出手段にて割込動作モードの検出中に前記モード切換手段の入力を受けると、当該動作中の割込動作モードを解除し、前記優先順位メモリ領域に記憶された割込優先順位に基づいて当該解除された割込動作モード以外の他の割込動作モードを設定すると共に、前記割込検出手段にて割込動作モードを検出することなく、前記モード切換手段により前記通常動作モードの入力を受けると、当該動作中の動作モードを解除し、前記切換順序メモリ領域に記憶された切換順序に基づいた通常動作モードを設定する制御手段とを有することを特徴とするオーディオ装置。
【請求項２】
前記割込動作モードの動作中に、当該動作中の割込動作モード以外で保留中の割込動作モードを検知する保留検知手段を有し、
前記制御手段は、前記保留検知手段が当該保留中の割込動作モードを検知すると、当該動作中の割込動作モードを解除し、前記保留中の割込動作モードの中から前記割込優先順位に基づいて当該解除された割込動作モード以外の他の割込動作モードを検索し、当該検索された割込動作モードを設定することを特徴とする請求項１記載のオーディオ装置。
【発明の詳細な説明】
【０００１】
【産業上の利用分野】
本発明は、通常の動作モード及び当該通常の動作モードに一時的に割り込まれる割込動作モード等の様々な動作モードを設定することが可能なオーディオ装置に関する。
【０００２】
【従来の技術】
従来、このようなオーディオ装置としては、当該オーディオ装置本体に備えた例えばテープデッキ機能等の通常動作モードと、当該通常動作モード中に一時的に割り込まれる、例えば当該オーディオ装置に外部接続されたナビゲーションシステムからの経路案内音声出力等の割込動作モードとを夫々設定可能とする車載用オーディオ装置が知られている。
【０００３】
では、このような従来のオーディオ装置について説明する。図７は従来のオーディオ装置及び当該オーディオ装置に外部接続された外部システムの操作パネルの概略を端的に示す説明図である。
【０００４】
図７に示すオーディオ装置としては、その内部にテープデッキ機能、ラジオ機能及びテレビ機能等を有している。
【０００５】
また、当該オーディオ装置に外部接続された外部システムとしては、例えば経路案内情報を出力するナビゲーションシステム、ラジオデータシステム（以下、単にＲＤＳと称する）放送等の多重放送に多重化された交通情報を抽出するＲＤＳデコードシステム及びＣＤに記録された音楽等を演奏する拡張ＣＤシステム等を有している。
【０００６】
当該外部システム内のナビゲーションシステムとしては、当該オーディオ装置により経路案内情報を音声出力するものであり、前記ＲＤＳデコードシステムは、前記オーディオ装置のラジオ機能を利用することにより、ＲＤＳ放送を受信し、当該受信されたＲＤＳ放送から交通データを抽出するものであり、前記拡張ＣＤシステムは、前記オーディオ装置により当該ＣＤに記録された音楽を音声出力するものである。
【０００７】
また、前記ナビゲーションシステムの経路案内情報としては、予め運転者の目的地までの経路を設定しておくことにより、例えば当該オーディオ装置を載置した自動車が当該経路内の分岐点である交差点の手前にさしかかると、当該オーディオ装置を介してユーザーに進行方向を案内したり、又は当該経路から外れた場合には当該経路から外れた旨をユーザーに案内する経路案内情報を音声出力するようにしたものである。
【０００８】
また、前記ＲＤＳデコードシステムの交通データとしては、放送局からの交通情報に係わる音声情報や文字情報に相当するものである。
【０００９】
また、当該オーディオ装置の通常動作モードとしては、前記テープデッキ機能のテープモード、前記ラジオ機能のチューナーモード及び前記テレビ機能のテレビモードがある。
【００１０】
また、当該オーディオ装置の割込動作モードとしては、前記ナビゲーションシステムからの経路案内情報を音声出力させるようなナビゲーションモード、前記ＲＤＳデコードシステムからの交通データによる交通情報を音声出力させるような交通モードや前記拡張ＣＤシステムからのＣＤ演奏を音声出力させるようなＣＤモードがある。
【００１１】
図７に示すオーディオ装置の操作パネル１００には、様々な動作モードの動作状態を表示させる表示部１１０と、様々な指令を入力する操作部１２０とを有している。
【００１２】
当該操作部１２０としては、当該装置内の通常動作モードであるチューナーモードを設定又は解除するラジオモードキー１２１と、通常動作モードであるテープモードを設定又は解除するテープモードキー１２２と、通常動作モードであるテレビモードを設定又は解除するテレビモードキー１２３と、当該通常動作モード中にて様々な動作指令を指定する動作指定キー１２４と、当該オーディオ装置本体から出力される音声を消音するミュート機能をオン・オフさせるミュートキー１２５とを有している。
【００１３】
また、前記外部システム１３０側においても、前記ナビゲーションシステムによるナビゲーションモードの経路案内割込動作を許可又は禁止するナビゲーションモードキー１３１と、前記ＲＤＳデコードシステムによる交通モードの交通情報割込動作を許可又は禁止する交通モードキー１３２と、前記拡張ＣＤシステムによりＣＤモードを設定又は解除するＣＤモードキー１３３とを有している。
【００１４】
つまり、前記ナビゲーションモードキー１３１にて経路案内割込動作を許可した場合には、通常動作モードが動作中であっても経路内の分岐点手前に到達したときには自動的に割込動作として経路案内情報を音声出力するナビゲーションモードに設定されるものである。
【００１５】
また、前記交通モードキー１３２にて交通情報割込動作を許可した場合には、通常動作モードが動作中であっても自動的に当該ＲＤＳデコードシステムにて抽出された交通情報を表示出力又は音声出力する交通モードに設定されるものである。
【００１６】
このようなオーディオ装置によれば、予め前記ナビゲーションモードや交通モード等の割込動作モードを許可しておき、テープモード等の通常動作モード中に割込動作モードが発生した場合には、通常動作モード中であっても割込動作モードを優先的に設定するようにしたので、ユーザーは各情報を逸早く認識することができる。
【００１７】
また、このようなオーディオ装置によれば、ミュートオン中に各モードキー１２１、１２２、１２３の入力や割込動作モードが発生すると、当該ミュートを自動的に解除するようにしたので、ユーザーは当該ミュート解除に係わる操作手間を省くことができる。
【００１８】
【発明が解決しようとする課題】
しかしながら、上記従来のオーディオ装置によれば、通常動作モード中に割込動作が発生した場合には優先的に割込動作モードを設定するようにしたが、当該設定された割込動作モードを解除するためには外部システム側の各割込動作モードに対応したキー操作、例えばナビゲーションモードであればナビゲーションモードキー１３１を、交通モードであれば交通モードキー１３２を探した後にキー操作を行わなければならず、しかも当該解除後に他の割込動作モードに設定するような場合には複雑なキー操作を要し、ユーザーに大きな負担をかけてしまうといった第１の問題点があった。
【００２０】
本発明は上記の問題点に鑑みてなされたものであり、その目的とするところは、各割込動作モード解除及びその解除後に伴う他の割込動作モード設定に係わる操作性を良好にしたオーディオ装置を提供することにある。
【００２２】
【課題を解決するための手段】
上記目的を達成するために、本発明は、通常動作モード及び割込動作モードを含む動作モードを切換入力するモード切換手段と、動作中の割込動作モードを検出する割込検出手段と、前記割込動作モードの切換選択に係わる割込順位の高いモードから順に低いモードに向けて設定された割込優先順位を記憶する優先順位メモリ領域を有すると共に、前記切換手段の切換入力に伴って切換選択される前記通常動作モードの切換順序を記憶する切換順序メモリ領域を有する記憶手段と、前記割込検出手段にて割込動作モードの検出中に前記モード切換手段の入力を受けると、当該動作中の割込動作モードを解除し、前記優先順位メモリ領域に記憶された割込優先順位に基づいて当該解除された割込動作モード以外の他の割込動作モードを設定すると共に、前記割込検出手段にて割込動作モードを検出することなく、前記モード切換手段により前記通常動作モードの入力を受けると、当該動作中の動作モードを解除し、前記切換順序メモリ領域に記憶された切換順序に基づいた通常動作モードを設定する制御手段とを有することを特徴とする。
【００２４】
【作用】
かかる構成により、本発明のオーディオ装置によれば、割込動作モード中に各動作モード毎に対応した入力操作でなく、単一のモード切換手段の入力操作を受けると、当該動作中の割込動作モードを解除して、優先順位メモリ領域に記憶された割込優先順位に基づいて当該解除された割込動作モード以外の他の割込動作モードを設定するようにしたので、各割込動作モード解除及びその解除後に伴う他の割込動作モード設定に係わる操作性を著しく良好にし、延いてはユーザーの負担を大幅に軽減することができる。
【００２６】
【実施例】
以下、図面に基づいて本発明のオーディオ装置の実施例について説明する。図１は本発明のオーディオ装置及び外部システムからなるオーディオシステム内部の概略構成を示すブロック図である。図２は本発明のオーディオ装置及び外部システムにおける操作パネルの概略を端的に示す説明図である。
【００２７】
図１に示すオーディオシステムとしては、例えばラジオチューナー機能、テレビ機能及びテープデッキ機能等を備えたオーディオ装置１０と、当該オーディオ装置に外部接続された外部システム２０とを有している。
【００２８】
図１に示すオーディオ装置１０においては、その内部にラジオチューナー機能、テレビ機能及びテープデッキ機能等を備えた内部機器１１と、当該内部機器１１から出力される音声信号にミュート処理を施すミュート手段であるミュート回路１２と、当該音声信号を増幅するアンプ１３と、当該アンプ１３により増幅された音声信号を音声出力するスピーカ１４と、当該システムに係わる情報データを表示する表示部１５と、当該システムに係わる様々な指令を入力するキー操作部１６と、当該システムに係わる様々なデータを記憶する記憶手段であるメモリ部１７と、当該システム全体を制御するマイコン１８とを有している。尚、請求項に記載の割込検出手段、保留検知手段、入力モード検知手段、上位モード検知手段及び制御手段は、全てマイコン１８に相当するものである。
【００２９】
前記外部システム２０としては、例えばその内部にナビゲーションシステム、ＲＤＳデコードシステム及び拡張ＣＤシステムが内蔵されているものである。
【００３０】
また、当該オーディオシステムにおける通常動作モードとしては、当該オーディオ装置１０の内部機器１１によるチューナーモード、テレビモード及びテープモードがあり、割込動作モードとしては、前記外部システム２０によるナビゲーションモード、交通モード及びＣＤモードがある。
【００３１】
また、前記キー操作部１６としては、図２に示すように当該装置内の通常動作モードを切換選択するモード切換選択キー（以下、単にモードキーと称する）１６ａと、当該通常動作モード中にて様々な動作指令を入力するための動作指定キー１６ｂと、前記ミュート回路１２のミュート処理をオン・オフさせるミュートキー１６ｃとを有している。尚、前記マイコン１８は、当該ミュートキー１６ｃの入力に応じて前記ミュート回路１２のミュート処理をオン・オフ制御するミュート制御信号を送出するものである。また、前記モードキー１６ａは、後述するように割込動作モードを設定又は解除するキーとしても利用されるものである。
【００３２】
また、前記外部システム２０側においても、前記ナビゲーションシステムによるナビゲーションモードの経路案内割込動作を許可又は禁止するナビゲーションモードキー２０ａと、前記ＲＤＳデコードシステムによる交通モードの交通情報割込動作を許可又は禁止する交通モードキー２０ｂと、前記拡張ＣＤシステムによりＣＤモードを設定又は解除する、すなわち再生又は停止させるＣＤモードキー２０ｃとを有している。
【００３３】
前記メモリ部１７には、前記通常動作モードに係わる切換順序、例えばテープモード→テレビモード→チューナーモード→テープモード…といった順序にて通常切換順序を記憶する通常切換順序メモリ領域と、前記割込動作モードに係わる優先順位、例えばナビゲーションモード→交通モード→ＣＤモードといった順序にて割込優先順位を記憶する割込優先順位メモリ領域とを有している。尚、前記通常動作モードの通常切換順序と前記割込動作モードの割込優先順位とは、例えばテープモード中に交通モードが発生した場合に現在動作中のテープモードを解除して交通モードを優先的に設定する、つまり当該割込動作モード側の割込優先順位を優先的に選択するものである。
【００３４】
次に当該実施例におけるオーディオシステムの動作について説明する。図３乃至図５は当該モード設定処理におけるマイコン１８の処理動作を示すフローチャートである。
【００３５】
当該モード設定処理とは、例えば割込動作モード中に前記モードキー１６ａが入力されると、当該動作中の割込動作モードを解除し、前記メモリ部１７に記憶された割込優先順位に基づいて当該解除された割込動作モードよりも下位で、かつ保留中の割込動作モードがあれば、当該保留中の割込動作モードを設定させるようにしたものである。尚、当該保留中の割込動作モードとは、例えばナビゲーションモードに係わる経路案内割込中に交通モードが発生した場合に、当該ナビゲーションモードが解除されるまで保留中とした交通モードに相当するものである。
【００３６】
図３においてマイコン１８は、前記割込動作モードが発生したか否かを判定する（ステップＳ１１）。当該割込動作モードが発生したのでなければ、前記キー操作部１６のモードキー１６ａが入力されたか否かを判定する（ステップＳ１２）。当該モードキー１６ａが入力されたのであれば、当該モードキー１６ａ入力直前まで設定されていた動作モードとしての直前モードを解除し（ステップＳ１３）、当該解除された直前モードがチューナーモードであるか否かを判定する（ステップＳ１４）。
【００３７】
当該解除された直前モードがチューナーモードであれば、前記メモリ部１７に記憶された通常切換順序に基づいてテープモードを設定し（ステップＳ１５）、ステップＳ１２に移行する。
【００３８】
また、ステップＳ１４にて当該解除された直前モードがチューナーモードでなければ、当該直前モードがテープモードであるか否かを判定する（ステップＳ１６）。当該直前モードがテープモードであれば、前記メモリ部１７に記憶された通常切換順序に基づいてテレビモードを設定し（ステップＳ１７）、ステップＳ１２に移行する。
【００３９】
また、ステップＳ１６にて当該解除された直前モードがテープモードでなければ、当該直前モードをテレビモードと判断し、前記メモリ部１７に記憶された通常切換順序に基づいてチューナーモードを設定し（ステップＳ１８）、ステップＳ１２に移行する。
【００４０】
また、ステップＳ１２にてモードキー１６ａが入力されたのなければ、現在設定中の動作モードを継続し（ステップＳ１９）、前記表示部１５及びスピーカ１４を介して当該設定動作モードに対応した表示及び音声を出力させ（ステップＳ２０）、当該モード設定処理に係わる処理動作を終了する。
【００４１】
また、ステップＳ１１にて当該割込動作モードが発生したのであれば、図４に示すＭ１に移行する。
【００４２】
図４に示すＭ１においてマイコン１８は、当該発生した割込動作モードがナビゲーションモードに係わる経路案内割込であるか否かを判定する（ステップＳ３１）。当該経路案内割込であれば、当該経路案内割込直前の動作モードを直前モードとして記憶し（ステップＳ３２）、当該経路案内割込に係わるナビゲーションモードを設定し（ステップＳ３３）、前記スピーカ１４を介して当該経路案内に係わる音声情報を音声出力させ（ステップＳ３４）、前記モードキー１６ａが入力されたか否かを判定する（ステップＳ３５）。当該モードキー１６ａが入力されたのであれば、後述する本発明の主眼となる図５に示すＭ２に移行する。
【００４３】
また、ステップＳ３５にてモードキー１６ａが入力されたのでなければ、当該音声出力中の経路案内割込が終了したか否かを判定する（ステップＳ３６）。当該経路案内割込が終了したのであれば、前記交通モードに係わる交通情報が保留中であるか否かを判定する（ステップＳ３７）。尚、当該交通情報保留中とは、前記ナビゲーションモード中にＲＤＳ放送から抽出された交通データ、例えば交通情報放送が受信可能であることを示すものである。
【００４４】
当該交通情報が保留中でなければ、ＣＤモードに係わるＣＤ演奏保留中であるか否かを判定する（ステップＳ３８）。尚、当該ＣＤ演奏保留中とは、前記ナビゲーションモード又は交通モード中、又は前記ナビゲーションモード又は交通モードの割込設定前にＣＤモードが選択されていたことを示すものである。
【００４５】
ステップＳ３８にてＣＤ演奏保留中でなければ、全ての割込動作モードが終了したと判断し、先に記憶した直前モードを設定し（ステップＳ３９）、前記表示部１５及びスピーカ１４を介して当該設定された動作モードに対応した表示及び音声を出力させ（ステップＳ４０）、当該モード設定処理に係わる処理動作を終了する。また、ステップＳ３６にて経路案内割込が終了したのでなければ、ステップＳ３５に移行する。
【００４６】
尚、ステップＳ３７、３８の処理動作は、前記メモリ部１７に記憶された割込優先順位に基づいて現在動作中の経路案内割込よりも下位の割込動作モードである交通モード、ＣＤモードの状態を検索し、各モードの状態が保留中であれば当該検索されたモードを設定するものである。
【００４７】
また、ステップＳ３１にて発生した割込動作モードが交通モードに係わる交通情報割込であるか否かを判定する（ステップＳ４１）。当該交通情報割込であれば、当該交通情報割込直前の動作モードを直前モードとして記憶し（ステップＳ４２）、当該交通モードに係わるチューナーモードに設定し（ステップＳ４３）、前記スピーカ１４を介して交通情報を音声出力させる（ステップＳ４４）。尚、ステップＳ４３にてチューナーモードを設定したのは交通情報放送を受信するためのものである。
【００４８】
ステップＳ４４の処理動作後に前記モードキー１６ａが入力されたか否かを判定する（ステップＳ４５）。当該モードキー１６ａが入力されたのであれば、後述する図５に示すＭ２に移行する。
【００４９】
また、ステップＳ４５にてモードキー１６ａが入力されたのでなければ、当該交通モードに係わる交通情報割込が終了したか否かを判定する（ステップＳ４６）。当該交通情報割込が終了したのでなければ、前記ナビゲーションモードに係わる経路案内割込が発生したか否かを判定する（ステップＳ４７）。当該経路案内割込が発生したのであれば、当該交通情報保留を設定し（ステップＳ４８）、図中のＭ４に移行する。尚、ステップＳ４７の処理動作は、前記メモリ部１７に記憶された割込優先順位に基づくものであり、当該経路案内割込は交通モードよりも上位の割込動作モードであり、当該経路案内割込が発生すれば当該動作中の交通モードを解除し、当該経路案内割込であるナビゲーションモードを設定するものである。
【００５０】
また、ステップＳ４６にて交通モードに係わる交通情報割込が終了したのであれば、ステップＳ３８に移行する。また、ステップＳ４７にて経路案内割込が発生したのでなければ、ステップＳ４５に移行する。
【００５１】
また、ステップＳ４１にて交通モードに係わる交通情報割込でなければ、ＣＤモードキー２０ｃが入力されたか否かを判定する（ステップＳ４９）。当該ＣＤモードキー２０ｃが入力されたのであれば、当該ＣＤモードキー２０ｃ入力直前の動作モードを直前モードとして記憶し（ステップＳ５０）、ＣＤモードを設定し（ステップＳ５１）、前記スピーカ１４及び表示部１５を介して当該ＣＤモードに係わるＣＤ演奏等を出力させ（ステップＳ５２）、前記モードキー１６ａが入力されたか否かを判定する（ステップＳ５３）。当該モードキー１６ａが入力されたのであれば、後述する図５に示すＭ２に移行する。
【００５２】
また、ステップＳ５３にて当該モードキー１６ａが入力されたのでなければ、前記ナビゲーションモードに係わる経路案内割込が発生したか否かを判定する（ステップＳ５４）。当該経路案内割込が発生したのでなければ、前記交通モードに係わる交通情報割込が発生したか否かを判定する（ステップＳ５５）。当該交通情報割込が発生したのであれば、ＣＤモードに係わるＣＤ演奏の保留を設定し（ステップＳ５６）、図中のＭ６に移行する。尚、ステップＳ５４、５５の処理動作は、前記メモリ部１７に記憶された割込優先順位に基づくものであり、当該経路案内割込又は交通情報割込は当該ＣＤモードよりも上位の割込動作モードであり、当該経路案内割込又は交通情報割込が発生すれば、当該動作中のＣＤモードを解除し、当該経路案内割込であるナビゲーションモード又は交通モードを設定するものである。
【００５３】
また、ステップＳ４９にてＣＤモードキー２０ｃが入力されたのでなければ、図中のＭ５に移行する。また、ステップＳ５４にて経路案内割込が発生したのであれば、ＣＤモードに係わるＣＤ演奏の保留を設定し（ステップＳ５７）、図中のＭ４に移行する。また、ステップＳ５５にて交通情報割込が発生したのでなければ、ステップＳ５３に移行する。
【００５４】
また、ステップＳ３７にて交通情報保留中であれば、ステップＳ４３に移行する。また、ステップＳ３８にてＣＤ演奏保留であれば、図中のＭ３に移行する。
【００５５】
次に図５に示すＭ２について説明する。尚、当該Ｍ２におけるマイコン１８の処理動作は、各割込動作モード中にモードキー１６ａが入力されると起動を開始するものである。
【００５６】
当該Ｍ２において現在設定中の割込動作モードを解除し（ステップＳ６１）、当該解除された割込動作モードがナビゲーションモードであるか否かを判定する（ステップＳ６２）。当該割込動作モードがナビゲーションモードであれば、前記交通モードに係わる交通情報が保留中であるか否かを判定する（ステップＳ６３）。当該交通情報が保留中であれば、図４に示すＭ７に移行する。
【００５７】
また、ステップＳ６２にて当該解除された割込動作モードがナビゲーションモードでなければ、当該解除された割込動作モードが当該交通モードであるか否かを判定する（ステップＳ６４）。当該割込動作モードが交通モードであれば、前記ＣＤモードに係わるＣＤ演奏が保留中であるか否かを判定する（ステップＳ６５）。当該ＣＤ演奏が保留中であれば、図４に示すＭ８に移行する。
【００５８】
また、ステップＳ６４にて当該解除された割込動作モードが交通モードでなければ、当該解除された割込動作モードがＣＤモードであるか否かを判定する（ステップＳ６６）。当該解除された割込動作モードがＣＤモードであれば、交通情報が保留中であるか否かを判定する（ステップＳ６７）。当該交通情報が保留中であれば、図４に示すＭ７に移行する。
【００５９】
また、ステップＳ６５にてＣＤ演奏が保留中でなければ、又はステップＳ６６にて解除された割込動作モードがＣＤモードでなければ、又はステップＳ６７にて交通情報が保留中でなければ、図４に示すＭ１０に移行する。
【００６０】
従って、上記実施例の図３乃至図５に示すモード設定処理によれば、割込動作モード中にモードキー１６ａの入力を受けると、当該動作中の割込動作モードを解除し、保留中の割込動作モードの中から前記メモリ部１７に記憶された割込優先順位に基づいて割込動作モードを選択し、当該選択された割込動作モードを設定するようにしたので、前記モードキー１６ａによる単一のキー操作で動作中の割込動作モードを解除し、しかも当該解除された割込動作モード以外の他の保留中に係わる割込動作モードを前記割込優先順位に基づいて選択することができ、その操作性を著しく良好にし、強いてはユーザーの負担を大幅に軽減させることができる。
【００６１】
では、次にミュートオフ処理について説明する。図６は当該ミュートオフ処理におけるマイコン１８の処理動作を示すフローチャートである。
【００６２】
当該ミュートオフ処理とは、ユーザーの意図に応じたミュート解除を実現するものである。
【００６３】
図６においてマイコン１８は、現在、ミュートオン中であるか否かを判定する（ステップＳ７１）。当該ミュートオン中であれば、当該モード切換があったか否かを判定する（ステップＳ７２）。当該モード切換があったのであれば、モードキー１６ａ等の入力によるモード切換であるか否かを判定する（ステップＳ７３）。当該モードキー１６ａ等の入力によるモード切換であれば、ユーザーの意図によるものと判断し、当該ミュート回路１２をオフ制御し（ステップＳ７４）、当該ミュートオフ処理に係わる処理動作を終了する。
【００６４】
また、ステップＳ７３にてモードキー１６ａ等の入力によるモード切換でなければ、割込動作によるモード切換であるか否かを判定する（ステップＳ７５）。当該割込動作によるモード切換であれば、当該割込動作直前の動作モードを記憶し（ステップＳ７６）、当該割込動作モードがナビゲーションモードであるか否かを判定する（ステップＳ７７）。当該割込動作モードがナビゲーションモードであれば、前記ミュート回路１２をオフ制御し（ステップＳ７８）、当該ミュートオフ処理に係わる処理動作を終了する。
【００６５】
また、ステップＳ７７にて当該割込動作モードがナビゲーションモードでなければ、当該割込動作モードが交通モードであるか否かを判定する（ステップＳ７９）。当該交通モードでなければ、前記メモリ部１７に記憶した割込優先順位に基づいてステップＳ７６にて記憶された動作モードが当該交通モードよりも下位の動作モードであるか否かを判定する（ステップＳ８０）。尚、当該交通モードよりも下位の動作モードとは、例えば通常動作モードやＣＤモードに相当するものである。
【００６６】
ステップＳ８０にて記憶された動作モードが下位の動作モードであれば、前記ミュート回路１２をオフ制御し（ステップＳ８１）、当該ミュートオフ処理に係わる処理動作を終了する。
【００６７】
また、ステップＳ７９にて割込動作モードが交通モードでなければ、当該割込動作モードをＣＤモードと判断し、前記メモリ部１７に記憶された割込優先順位に基づいて、ステップＳ７６にて記憶された動作モードが当該ＣＤモードよりも下位の動作モードであるか否かを判定する（ステップＳ８２）。当該記憶された動作モードがＣＤモードよりも下位の動作モードであれば、ステップＳ８１に移行する。
【００６８】
また、ステップＳ７１にてミュートオン中でなければ、又はステップＳ７２にてモード切換がなければ、又はステップＳ７５にて割込動作がなければ、又はステップＳ８０にて記憶された動作モードが交通モードよりも下位の動作モードでなければ、又はステップＳ８２にて記憶された動作モードがＣＤモードよりも下位の動作モードでなければ、夫々当該ミュートオフ処理に係わる処理動作を終了する。
【００６９】
また、上記実施例の図６に示すミュートオフ処理によれば、前記ミュート回路１２のオン制御中に、現在動作中の動作モードよりも上位の割込動作モードを検知すると、当該検知された上位の割込動作モードを設定して前記ミュート回路１２をオフ制御すると共に、前記ミュート回路１２のオン制御中にモードキー１６ａにより切換設定された動作モードを検知すると、当該検知された動作モードを設定して前記ミュート回路１２をオフ制御するようにした、つまり、前記モードキー１６ａのキー操作によるモード設定や、動作中の割込動作モードよりも上位に相当する、すなわちユーザー所望の上位割込動作モードの割込設定に伴ってミュートを解除するといったユーザー意図によるミュート解除動作と、動作中の割込動作モードよりも下位に相当する下位割込動作モード、すなわちミュートを解除してまでも受聴したくもない割込動作モードの割込設定に伴ってミュートを解除するといったユーザーの意図によらぬミュート解除動作とを識別して、ユーザーの意図によるときのみにミュートを解除するようにしたので、ユーザーの意図に対応したミュート解除を実現することができ、強いてはユーザーの快適な音声環境を提供することはできる。
【００７０】
【発明の効果】
上記のように構成された本発明のオーディオ装置によれば、割込動作モード中に各動作モード毎に対応した入力操作でなく、単一のモード切換手段の入力操作を受けると、当該動作中の割込動作モードを解除して、優先順位メモリ領域に記憶された割込優先順位に基づいて当該解除された割込動作モード以外の他の割込動作モードを設定するようにしたので、各割込動作モード解除及びその解除後に伴う他の割込動作モード設定に係わる操作性を著しく良好にし、延いてはユーザーの負担を大幅に軽減することができる。
【図面の簡単な説明】
【図１】  本発明のオーディオ装置及び外部システムからなるオーディオシステム内部の概略構成を示すブロック図である。
【図２】  本発明のオーディオ装置及び当該オーディオ装置に外部接続された外部システムの操作パネルの概略を端的に示す説明図である。
【図３】  本発明のオーディオ装置のモード設定処理におけるマイコンの処理動作を示すフローチャートである。
【図４】  本発明のオーディオ装置のモード設定処理におけるマイコンの処理動作を示すフローチャートである。
【図５】  本発明のオーディオ装置のモード設定処理におけるマイコンの処理動作を示すフローチャートである。
【図６】  本発明のオーディオ装置のミュートオフ処理におけるマイコンの処理動作を示すフローチャートである。
【図７】  従来のオーディオ装置及び当該オーディオ装置に外部接続された外部システムの操作パネルの概略を端的に示す説明図である。
【符号の説明】
１６ａ  モードキー（モード切換手段）
１７    メモリ部（記憶手段）
１８    マイコン（割込検出手段、保留検知手段、入力モード検知手段
上位モード検知手段、制御手段）
１２    ミュート回路（ミュート手段）
【図１】
0003714998.tif 000002
【図２】
0003714998.tif 000003
【図３】
0003714998.tif 000004
【図４】
0003714998.tif 000005
【図５】
0003714998.tif 000006
【図６】
0003714998.tif 000007
【図７】
0003714998.tif 000008